(57)【要約】【課題】インパルス駆動方式の液晶表示装置において、バーリング現象の起こらない液晶駆動装置を提供する。【解決手段】本発明はインパルスタイプの液晶駆動装置において、一方向に配列された複数のゲートバスラインと前記複数のゲートバスラインに垂直するように配列された複数のデータバスラインを含む液晶パネルと、第２垂直開始信号、垂直クロック信号及び出力イネーブル信号に応答してアクティブアドレス区間で前記複数のゲートバスラインを順次走査し、垂直ブランキング区間で前記複数のゲートバスラインを所定数のライン単位で同時に走査するゲートドライバー部と、パルス幅変調信号に応答して垂直ブランキング区間で前記走査されたゲートバスラインに供給される電流量を増加させるカレントブースティング部を具備することを特徴とする。【選択図】図２
2004302405.tif 000002
【特許請求の範囲】
【請求項１】
インパルスタイプの液晶駆動装置において、
一方向に配列された複数のゲートバスラインと前記複数のゲートバスラインに直交するように配列された複数のデータバスラインを含む液晶パネルと、
第２垂直開始信号、垂直クロック信号及び出力イネーブル信号に応答してアクティブアドレス区間で前記複数のゲートバスラインを順次走査し、垂直ブランキング区間で前記複数のゲートバスラインを所定数のライン単位で同時に走査するゲートドライバー部と、
パルス幅変調信号に応答して垂直ブランキング区間で前記走査されたゲートバスラインに供給される電流量を増加させるカレントブースティング部を具備することを特徴とする液晶駆動装置。
【請求項２】
前記アクティブアドレス区間はリフレッシュレートが６０Ｈｚである時に８５Ｈｚで駆動されることを特徴とする請求項１に記載の液晶駆動装置。
【請求項３】
前記ゲートドライバー部は前記第２垂直開始信号、前記垂直クロック信号及び前記出力イネーブル信号に応答して前記複数のゲートバスラインを走査する複数のゲートドライバー集積回路で構成されることを特徴とする請求項１に記載の液晶駆動装置。
【請求項４】
前記複数のゲートドライバー集積回路の各々は前記垂直クロック信号と前記出力イネーブル信号に応答して前記アクティブアドレス区間で前記第２垂直開始信号を順次シフトさせて出力し、前記垂直ブランキング区間で前記垂直開始信号を入力されて所定数の第１出力信号を同時に発生する第１シフトレジスター部と、
前記垂直クロック信号に応答して前記アクティブアドレス区間で前記第１シフトレジスター部からシフトされた信号を入力されて順次シフトして出力し、前記垂直ブランキング区間で前記第１シフトレジスター部でシフトされた信号を入力されて所定数の第２出力信号を同時に発生する第２シフトレジスター部と、
前記第１及び第２シフトレジスター部の出力信号をレベル変換する複数のレベルシフターと、
前記複数のレベルシフターで変換された信号を増幅してゲートオン／オフ信号を出力する複数のバッファー増幅器で構成されることを特徴とする請求項３に記載の液晶駆動装置。
【請求項５】
前記第１シフトレジスター部は出力イネーブル信号に応答して前記第２垂直開始信号または内部的にシフトされた信号を選択する所定数の第１スイッチと、
前記内部的にシフトされた信号が選択される時に前記第２垂直開始信号を入力されて順次シフトして出力し、前記第２垂直開始信号が選択される時に前記第２垂直開始信号を入力されてシフトなしに所定数の第１出力信号を同時に出力する所定数の第１シフトレジスターで構成されることを特徴とする請求項４に記載の液晶駆動装置。
【請求項６】
前記第２シフトレジスター部は出力イネーブル信号に応答して前記第１シフトレジスター部でシフトされた信号または内部的にシフトされた信号を選択する複数の第２スイッチと、
前記内部的にシフトされた信号が選択される時に前記第２垂直開始信号を入力されて順次シフトして出力し、前記第１シフトレジスター部でシフトされた信号が選択される時に前記第１シフトレジスター部でシフトされた信号を入力されてシフトなしに前記所定数の第２出力信号を同時に出力する所定数の第２シフトレジスターで構成されることを特徴とする請求項４に記載の液晶駆動装置。
【請求項７】
前記カレントブースティング部は前記ゲートドライバー部から出力されるゲートオン／オフ信号と前記パルス幅変調信号を各々が入力される複数のカレントブースター回路で構成されることを特徴とする特徴とする請求項１に記載の液晶駆動装置。
【請求項８】
前記複数のカレントブースター回路の各々は非反転端と反転端を有する演算増幅器と、前記非反転端と接地との間に結合された第１抵抗と、該第１抵抗と並列結合された第１コンデンサと、第１入力端と接地との間に結合された第２コンデンサと、前記第１入力端に一端が結合された第２抵抗と、前記第２抵抗の他端と接地との間に結合されて前記演算増幅器の出力信号によってターンオンされる第１バイポーラートランジスターと、前記第１入力端に一端が結合される第３抵抗と、該第３抵抗の他端と前記非反転端との間に結合され前記第２抵抗の他端の出力信号によりターンオンされる第２バイポーラートランジスターと、前記第１入力端と前記非反転端との間に結合された第４抵抗と、前記演算増幅器の反転端と出力端との間に結合された第３コンデンサと、第２入力端と前記反転端との間に結合された第５抵抗と、前記反転端と接地との間に結合された第６抵抗と、前記第６抵抗に並列結合された第４コンデンサで構成されることを特徴とする請求項７に記載の液晶駆動装置。
【請求項９】
前記第１及び第２バイポーラートランジスターはＰタイプトランジスターであることを特徴とする請求項８に記載の液晶駆動装置。
【請求項１０】
前記カレントブースティング部から発生される電流量は前記パルス幅変調信号のデューティー比によって調節されることを特徴とする請求項１に記載の液晶駆動装置。
【発明の詳細な説明】
【技術分野】
【０００１】
本発明は液晶駆動装置に関するものであり、特に、垂直ブランキング区間でブラックデータ（Ｂｌａｃｋ  Ｄａｔａ）を挿入して動画像を具現するインパルスタイプ（ｉｍｐｕｌｓｉｖｅ  ｔｙｐｅ）の液晶駆動装置に関するものである。
【背景技術】
【０００２】
本発明は高速応答特性を有する液晶を具備したＴＦＴ−ＬＣＤ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ）を利用して動画像（ｍｏｔｉｏｎ  ｐｉｃｔｕｒｅ）を具現するためのシステムを基礎として、本発明による液晶駆動装置は動画像具現のためにリフレッシュレート（ｒｅｆｒｅｓｈ  ｒａｔｅ）を６０Ｈｚに設定したものであるが、リフレッシュレートは６０Ｈｚに限定されるものではない。
【０００３】
一般に、液晶表示装置は電界の作用により液晶分子の配列を変化させて光透過率を調節することによって、画像を表示する装置としてＴＮ−ＬＣＤタイプからＳＴＮ−ＬＣＤ、ＭＩＭ−ＬＣＤ、ＭＩＭ−ＬＣＤ、ＴＦＴ−ＬＣＤタイプに発展したし、その表示性能も顕著に向上してきた。このような液晶表示装置は消費電力が小さいだけでなく、軽薄短小化の長所を有しているためにＣＲＴ（Ｃａｔｈｏｄｅ−Ｒａｙ−Ｔｕｂｅ）を置き換えることができる装置として注目されており、ノートブックパソコンまたは携帯用の移動通信機器等に幅広く使われるようになってきたため、需要が増えている状況にある。
【０００４】
従来の液晶表示装置は垂直同期信号（Ｖ＿ｓｙｎｃ）の１フレームの間に一番目のゲートバスラインからｎ番目のゲートバスラインまで順次にゲートオン／オフパルス信号を印加してゲートバスラインを順次に走査し、水平同期信号の発生時にデータバスラインを通じて選択されたゲートバスラインの各画素にデータ信号を印加し、このように印加されたデータ信号を一定に維持させて１フレームの画面を再現する。このような液晶駆動方式をホールドタイプ（ｈｏｌｄ  ｔｙｐｅ）という。
【０００５】
従来技術によるゲート順次走査方式を使用するゲートドライバーＩＣは図１のようになる。
図１を参照すると、従来のゲートドライバーＩＣは垂直クロック信号（ＣＰＶ）に応答して垂直開始信号（ＳＴＶ）が入力されて次の端に順次にシフトして出力する複数のシフトレジスター（ＳＲ１〜ＳＲｎ）と、複数のシフトレジスター（ＳＲ１〜ＳＲｎ）に対応して結合され、複数のシフトレジスター（ＳＲ１〜ＳＲｎ）の出力信号をレベル変換した後に出力する複数のレベルシフター（ＬＳ１〜ＬＳｎ）と、複数のレベルシフター（ＬＳ１〜ＬＳｎ）とでレベル変換された信号を増幅してゲートオン／オフ信号（Ｇ１〜Ｇｎ）を出力する複数のバッファー増幅器（ＢＦ１〜ＢＦｎ）で構成される。
【０００６】
一般に、動画像を再現するためには液晶の応答速度を概略５ｍｓ程度に維持することが望ましいが、前記ホールドタイプの液晶表示装置は液晶の応答速度が画像情報の処理速度についていけないことにより前の画面の画像情報が次のフレームに残存して画像が薄れるバーリング（ｂｌｕｒｒｉｎｇ）現象が発生し、これによって画質が低下する。
【０００７】
このような問題点を改善するためにリフレッシュレートが６０Ｈｚである１フレームを１２０Ｈｚのアクティブアドレス区間とブランキング区間に分けて高速駆動するインパルス駆動方式を適用した液晶表示装置が提案された。ここで、インパルス（ｉｍｐｕｌｓｉｖｅ）駆動方式は前フレームの画像情報が現在のフレームに影響をおよぼさないようにしたフレーム単位で一定区間をブラック画像領域で割り当てる方式である。
【０００８】
しかし、従来のインパルス駆動方式はバーリング現象の完全な除去を期待することが難しく、ＥＭＩ（Ｅｌｅｃｔｒｏ−ｍａｇｎｅｔｉｃ  ｉｎｔｅｒｆｅｒｅｎｃｅ）の発生可能性が大きく、またアクティブアドレス区間で液晶のデータ維持時間が短いという短所がある。
【０００９】
一方、ＮＴＳＣ、ＰＡＬなどのようなＴＶ信号を再現する場合１フレームの区間は１６．７ｍｓで固定されているために、ＸＧＡ級の液晶表示装置で活性化区間を８５Ｈｚで駆動する場合に垂直クロック信号（ＣＰＶ）の活性化区間が１１．２ｍｓになり、この時にブラックデータを挿入することができる区間は概略５．５ｍｓになる。
【００１０】
ところが、従来の液晶表示装置は前述したようにゲートの順次走査方式を使用するために５．５ｍｓの短い時間の間あらゆるゲートを駆動してブラックデータを挿入できないという短所がある。
【００１１】
【特許文献１】特開２００２−１４３２１号公報
【発明の開示】
【発明が解決しようとする課題】
【００１２】
したがって、本発明の目的は前記問題点を解決するためにアクティブアドレス区間を既存に比べて所定幅減らしてブランキング区間を増やし、このブランキング区間で複数のゲートバスラインを同時に走査することにより、ブランキング区間での全体ゲート駆動時間を減らす液晶駆動装置を提供することにある。
【課題を解決するための手段】
【００１３】
前記目的を達成するための本発明による液晶駆動装置は、インパルスタイプの液晶駆動装置において、一方向に配列された複数のゲートバスラインと前記複数のゲートバスラインに直交するように配列された複数のデータバスラインを含む液晶パネルと、第２垂直開始信号、垂直クロック信号及び出力イネーブル信号に応答してアクティブアドレス区間で前記複数のゲートバスラインを順次走査し、垂直ブランキング区間で前記複数のゲートバスラインを所定数のライン単位で同時に走査するゲートドライバー部と、パルス幅変調信号に応答して垂直ブランキング区間で前記走査されたゲートバスラインに供給される電流量を増加させるカレントブースティング部を具備することを特徴とする。
【００１４】
以上のような本発明の目的と別の特徴及び長所などは次に参照する本発明の好適な実施例についての以下の説明から明確になるであろう。
【発明の効果】
【００１５】
本発明はアクティブアドレス区間を既存に比べて所定幅減らしブラックデータを挿入するためのブランキング区間を増やして、このブランキング区間で複数のゲートバスラインを同時に走査し、ブランキング区間での全体ゲート駆動時間を減らすことによって、アクティブアドレス区間でのＥＭＩの発生可能性が大きく減るとともに液晶のデータ維持時間が増加する効果がある。
【発明を実施するための最良の形態】
【００１６】
以下、添付された図面に基づいて本発明の望ましい実施例をより詳細に説明する。
図２は本発明による液晶駆動装置を示したブロック図であり、図示されたように、液晶パネル１００と、ゲートドライバー部２００と、カレントブースティング部３００で構成される。
【００１７】
液晶パネル１００は一方向に配列された複数のゲートバスライン（図示せず）と、前記複数のゲートバスラインに直交するように配列された複数のデータバスライン（図示せず）と、前記複数のゲートバスラインと前記複数のデータバスラインの交差領域に形成された薄膜トランジスター（図示せず）を含む。  
【００１８】
ゲートドライバー部２００は複数のゲートドライバーＩＣを含んで、第２垂直開始信号（ＳＴＶ２）、垂直クロック信号（ＣＰＶ）及び出力イネーブル信号（ＯＥＳ）に応答してアクティブアドレス区間で前記複数のゲートバスラインを順次走査し、垂直ブランキング区間で前記複数のゲートバスラインを所定数のライン単位で同時に走査する。
【００１９】
カレントブースティング部３００はゲートドライバー部２００から出力されるゲートオン／オフ信号（Ｇ０〜Ｇｎ）とパルス幅変調信号（ＰＷＭ）を各々が入力される複数のカレントブースター回路（ＣＢ１〜ＣＢｎ）で構成され、パルス幅変調信号（ＰＷＭ）に応答して前記垂直ブランキング区間で前記走査されたゲートバスラインに供給される電流量を増加させる。この時、供給される電流量はパルス幅変調信号（ＰＷＭ）のデューティー比によって調節される。
【００２０】
図３は本発明によるゲートドライバー集積回路の構成を示したブロック図であり、図示したように、第１シフトレジスター部２２０と、第２シフトレジスター部２４０と、複数のレベルシフター（ＬＳ１〜ＬＳｎ）と、複数のバッファー増幅器（ＢＦ１〜ＢＦｎ）で構成される。
【００２１】
第１シフトレジスター部２２０は出力イネーブル信号（ＯＥＳ）によりスイッチングして前記第２垂直開始信号（ＳＴＶ２）または内部的にシフトされた信号を選択する所定数の第１スイッチ（ＳＷ１〜ＳＷ２９）と、所定数の第１スイッチ（ＳＷ１〜ＳＷ２９）のスイッチング動作により前記内部的にシフトされた信号が選択される時に第２垂直開力信号を同時に出力する所定数の第１シフトレジスター（ＳＲ１〜ＳＲ３０）で構成される。
【００２２】
例えば、スイッチ（ＳＷ１）は前記アクティブアドレス区間でシフトレジスター（ＳＲ１）の出力端にスイッチングし、前記ブランキング区間で垂直開始信号（ＳＴＶ２）入力端にスイッチングする。スイッチ（ＳＷ２）は前記アクティブアドレス区間でシフトレジスター（ＳＲ２）の出力端にスイッチングし、前記垂直ブランキング区間で垂直開始信号（ＳＴＶ２）入力端にスイッチングする。  
【００２３】
このような構成を有する第１シフトレジスター部２２０は垂直クロック信号（ＣＰＶ）と出力イネーブル信号（ＯＥＳ）に応答して前記アクティブアドレス区間では所定数のゲートバスラインを順次走査するために第２垂直開始信号（ＳＴＶ２）を順次シフトさせて出力し、前記垂直ブランキング区間では前記所定数のゲートバスラインを同時に走査するために垂直開始信号（ＳＴＶ２）を入力されて複数の第１出力信号を同時に発生する。
【００２４】
第２シフトレジスター部２４０は出力イネーブル信号（ＯＥＳ）にスイッチングして第２垂直開始信号（ＳＴＶ２）または内部的にシフトされた信号を選択する所定数の第１スイッチ（ＳＷ３１〜ＳＷ６０）と、所定数の第１スイッチ（ＳＷ３１〜ＳＷ６０）のスイッチング動作により前記内部的にシフトされた信号が選択される時に第２垂直開始信号（ＳＴＶ２）を入力されて順次シフトして出力し、所定数の第２スイッチ（ＳＷ３１〜ＳＷ６０）のスイッチング動作により第２垂直開始信号（ＳＴＶ２）が選択される時に第２垂直開始信号（ＳＴＶ２）を入力されてシフトなしに所定数の第１出力信号を同時に出力する所定数の第２シフトレジスター（ＳＲ３１〜ＳＲ６０）で構成される。
【００２５】
例えば、スイッチ（ＳＷ３１）は前記アクティブアドレス区間でシフトレジスター（ＳＲ３１）の出力端にスイッチングし、前記垂直ブランキング区間でシフトレジスター部２２０のシフトレジスター（ＳＲ３０）の出力端にスイッチングする。スイッチ（ＳＷ３２）は前記アクティブアドレス区間でシフトレジスター（ＳＲ３２）の出力端にスイッチングし、前記垂直ブランキング区間で第１シフトレジスター部２２０のシフトレジスター（ＳＲ３０）の出力端にスイッチングする。
【００２６】
このような構成を有する第２シフトレジスター部２４０は、垂直クロック信号（ＣＰＶ）に応答して前記アクティブアドレス区間では所定数のゲートバスラインを順次に走査するために第１シフトレジスター部２２０の第１シフトレジスター（ＳＲ３０）でシフトされた信号を入力されて第２シフトレジスター（ＳＲ３１〜ＳＲ６０）を通じて順次にシフトして出力し、前記垂直ブランキング区間では所定数のゲートバスラインを同時に走査するために第１シフトレジスター部２２０の第１シフトレジスター（ＳＲ３０）でシフトされた信号を入力されて第２シフトレジスター（ＳＲ３１〜ＳＲ６０）を通じて所定数の第２出力信号を同時に発生する。
【００２７】
複数のレベルシフター（ＬＳ１〜ＬＳ６０）は第１及び第２シフトレジスター部２２０，２４０の第１及び第２シフトレジスター（ＳＲ１〜ＳＲ６０）に対応して結合され、第１及び第２シフトレジスター（ＳＲ１〜ＳＲ６０）の出力信号をレベル変換して複数のバッファー増幅器（ＢＦ１〜ＢＦ６０）に出力する。
【００２８】
複数のバッファー増幅器（ＢＦ１〜ＢＦ６０）は複数のレベルシフター（ＬＳ１〜ＬＳ６０）に対応して結合され、前記複数のレベルシフター（ＬＳ１〜ＬＳ６０）で変換された信号を増幅してゲートオン／オフ信号（Ｇ１〜Ｇ６０）を発生する。
【００２９】
本発明に適用されたゲートドライバーＩＣは活性化区間ではゲートバスラインを順次に駆動し、垂直ブランキング区間では１番目のゲートバスラインで３０番目のゲートバスラインを同時に駆動した後３１番目のゲートバスラインで６０番目のゲートバスラインを同時に駆動する。
【００３０】
このような方式で３０個のゲートバスライン単位で駆動する場合にゲートオンタイムが従来に比べて３０分の１に減るようになって、これによりアクティブアドレス区間に比べて相対的に短い垂直ブランキング区間内にブラックデータを挿入できるようになる。
【００３１】
一方、アクティブアドレス区間とは異なり垂直ブランキング区間で多数のゲートバスラインを駆動するようになれば、ゲートバスラインに瞬間的に多くの電流が要求される。したがって、本発明ではこれに相応する電流を供給するためにカレントブースター回路（Ｃｕｒｒｅｎｔ  Ｂｏｏｓｔｅｒ  Ｃｉｒｃｕｉｔ）を使用する。
【００３２】
図４は本発明によるカレントブースター回路を示した詳細回路図であり、図示したように、各々は非反転端（＋）と反転端（−）を有する演算増幅器（ＯＰ）と、非反転端（＋）と接地との間に結合された第１抵抗（Ｒ１）と、第１抵抗（Ｒ１）と並列結合された第１コンデンサ（Ｃ１）と、第１入力端３００ａと接地との間に結合された第２コンデンサ（Ｃ２）と、第１入力端３００ａに一端が結合された第２抵抗（Ｒ２）と、該第２抵抗（Ｒ２）の他端と接地との間に結合され演算増幅器（ＯＰ）の出力信号によってターンオンされる第１バイポーラートランジスター（Ｑ１）と、第１入力端（３００ａ）に一端が結合される第３抵抗と（Ｒ３）と、第３抵抗（Ｒ３）の他端と非反転端（＋）との間に結合され、第２抵抗（Ｒ２）の他端の出力信号によりターンオンされる第２バイポーラートランジスター（Ｑ２）と、第１入力端３００ａと非反転端（＋）との間に結合された第４抵抗（Ｒ４）と、演算増幅器（ＯＰ）の反転端（−）と出力端との間に結合された第３コンデンサ（Ｃ３）と、第２入力端３００ｂと反転端（−）との間に結合された第５抵抗（Ｒ５）と、反転端（−）と接地との間に結合された第６抵抗（Ｒ６）と、第６抵抗（Ｒ６）に並列結合された第４コンデンサ（Ｃ４）で構成される。
【００３３】
図５は本発明によってノーマル動作時にゲートバスラインの走査タイミングを示したタイミング図である。同図面で、Ｖ＿ｓｙｎｃは垂直同期信号を、ＳＴＶは第１垂直開始信号をＣＰＶは垂直クロック信号を、Ｇ１ないしＧ７６８はゲートオン／オフ信号を各々が示す。
【００３４】
本発明によってＮＴＳＣ、ＰＡＬなどのＴＶ画像信号を６０Ｈｚで駆動してノーマル動作モードで７６８個のゲートバスラインを走査した時、図５に示したように、１フレームの区間は１６．７ｍｓで固定され、垂直クロック信号（ＣＰＶ）は１５．８８ｍｓの間イネーブルされ、この垂直クロック信号のイネーブル区間内で７６８個のゲートバスラインが順次に走査される。
【００３５】
図６は本発明によってブリンク動作時にゲートバスラインの走査タイミングを示したタイミング図である。
本発明によってＮＴＳＣ、ＰＡＬなどのＴＶ画像信号を６０Ｈｚで駆動してブリンク動作モードで７６８個のゲートバスラインを走査した時、図６に示したように、１フレームの区間は１６．７ｍｓで固定され、垂直クロック信号（ＣＰＶ）は１１．２ｍｓの間イネーブルされ、垂直ブランキング区間（ＶＢ）は５．５ｍｓを維持して既存に比べて増える。このブランキング区間内で第２垂直開始信号（ＳＴＶ２）が活性化される時に、ゲートドライバー部２００は３０ケ単位のゲートオンオフ信号を順次に発生して７８６個のゲートバスラインを３０ライン単位で走査する。この場合、７８６個のゲートバスラインをすべて走査するのにかかる時間は０．７３ｍｓ程度所要される。例えば、１００ラインを同時に駆動する場合単に０．２ｍｓの時間が必要になる。
【００３６】
したがって、本発明では垂直ブランキング区間内にブラックデータを十分に余裕があるように挿入できるために、バーリング現状の発生を除去することができる。
【００３７】
図７は本発明によってノーマル動作時にデータバスラインの駆動タイミングを示したタイミング図であり、図８は本発明によってブリンク動作時にデータバスラインの駆動タイミングを示したタイミング図である。
【００３８】
図７から明らかなように、垂直開始信号（ＳＴＨ）のイネーブル区間内で７６８個の垂直開始信号（ＳＴＨ）が発生する。
【００３９】
また、図８から明らかなように、垂直ブランキング区間（ＶＢ）内で２６個の水平開始信号（ＳＴＨ）が発生する。
【００４０】
図９は本発明によるカレントブースター回路の動作タイミングを示したタイミング図であり、図示されたように、パルス幅変調信号（ＰＷＭ）は垂直同期信号（Ｖ＿ｓｙｎｃ）の１フレーム区間内に低いデューティー比（ＬＤ）を維持し、垂直ブランキング区間内で高いデューティー比（ＨＤ）を維持する。
【００４１】
以上説明した本発明の実施例は、当業者により多様に変形して実施することが可能であるが、どのように変形された実施例であっても、本発明の技術的範囲内である限り、本発明の特許請求範囲に属することはいうまでもない。
【図面の簡単な説明】
【００４２】
【図１】従来のゲートドライバー集積回路の構成を示したブロック図である。
【図２】本発明による液晶駆動装置を示したブロック図である。
【図３】本発明によるゲートドライバー集積回路の構成を示したブロック図である。
【図４】本発明によるカレントブースター回路を示した詳細回路図である。
【図５】本発明によってノーマル動作時にゲートバスラインの走査タイミングを示したタイミング図である。
【図６】本発明によってブリンク動作時にゲートバスラインの走査タイミングを示したタイミング図である。
【図７】本発明によってノーマル動作時にデータバスラインの駆動タイミングを示したタイミング図である。
【図８】本発明によってブリンク動作時にデータバスラインの駆動タイミングを示したタイミング図である。
【図９】本発明によるカレントブースター回路の動作タイミングを示したタイミング図である。
【符号の説明】
【００４３】
１００  液晶パネル
２００  ゲートドライバー部
２２０  第１シフトレジスター部
２４０  第２シフトレジスター部
３００  カレントブースティング部
ＣＢ１〜ＣＢｎ  カレントブースター回路
ＳＲ１〜ＳＲｎ  シフトレジスター
ＬＳ１〜ＬＳｎ  レベルシフター
ＢＦ１〜ＢＦｎ  バッファー増幅器
【図１】
2004302405.tif 000003
【図２】
2004302405.tif 000004
【図３】
2004302405.tif 000005
【図４】
2004302405.tif 000006
【図５】
2004302405.tif 000007
【図６】
2004302405.tif 000008
【図７】
2004302405.tif 000009
【図８】
2004302405.tif 000010
【図９】
2004302405.tif 000011